(57)【要約】【課題】  所定間隔で立設した隣接する両支柱の表裏一側面側にわたって、複数の重いガラスパネルを上下に積層して簡単且つ確実に支持して間仕切パネルを構築することが可能であるガラスパネルの取付装置を提供する。【解決手段】  四角形のガラス板７の周囲を枠体８で取り囲んでガラスパネル５とし、枠体の下枠１４の背面側には第１係止部２２を設け、枠体の上枠１５の背面側には両支柱の間に介装する横桟１６を予め取付けておき、横桟の両端には支柱の側面に連結する取付板３５を有するとともに、横桟の前部に第２係止部３２を設け、隣接する両支柱に取付けた下段側のガラスパネルを支持する横桟の第２係止部３２に上段側のガラスパネルの第１係止部２２を係止するとともに、ガラスパネルの上部に取付けた横桟の両端の取付板を支柱の側面にネジ止めする。【選択図】        図７
2014043716.tif 000002
【特許請求の範囲】
【請求項１】
所定間隔で立設した隣接する両支柱の表裏一側面側にわたって、複数のガラスパネルを上下に積層して装着してなる間仕切パネルにおけるガラスパネルの取付装置であって、四角形のガラス板の周囲を枠体で取り囲んでガラスパネルとし、前記枠体の下枠の背面側には第１係止部を設け、前記枠体の上枠の背面側には前記両支柱の間若しくは隣接する両支柱の中間位置に中間支柱を設ける場合には前記支柱と中間支柱の間に介装する横桟を予め取付けておき、前記横桟の両端には前記支柱又は中間支柱の側面に連結する取付板を有するとともに、前記横桟の前部に第２係止部を設け、隣接する両支柱に取付けた下段側のガラスパネルを支持する前記横桟の第２係止部に上段側のガラスパネルの第１係止部を係止するとともに、該ガラスパネルの上部に取付けた横桟の両端の取付板を前記支柱又は中間支柱の側面にネジ止めすることを特徴とするガラスパネルの取付装置。
【請求項２】
前記横桟の両端に、水平な連結板と垂直な前記取付板とからなる正面視Ｌ字形の連結金具の連結板を連結して、該横桟の両端に立ち上がった取付板を有し、該取付板に形成した縦長孔を通して前記支柱又は中間支柱の側面にネジを螺合してなる請求項１記載のガラスパネルの取付装置。
【請求項３】
前記枠体の下枠の背面側には前記第１係止部として下向き開放した係止溝を有し、前記横桟の前部に前記第２係止部として前記係止溝を受け入れる上向き係止片を有し、下段側のガラスパネルを支持する前記横桟の係止片に上段側のガラスパネルの前記係止溝を落とし込み係合してなる請求項１又は２記載のガラスパネルの取付装置。
【請求項４】
前記枠体の上枠の背面の上下中間部には後方へ張り出した取付台を形成するとともに、該上枠の背面上縁には下向きの係止突条を形成し、前記横桟の下面から前記取付台に接合する支持片を下向きに形成するとともに、該横桟の前面に前記係止突条を受け入れる条溝を形成してなり、前記上枠の係止突条を前記横桟の条溝に係合するとともに、前記横桟の支持片を前記上枠の取付台の背面にネジ止めしてなる請求項１〜３何れか１項に記載のガラスパネルの取付装置。
【発明の詳細な説明】
【技術分野】
【０００１】
本発明は、ガラスパネルの取付装置に係わり、更に詳しくは間仕切パネルにおけるガラスパネルの取付装置に関するものである。
【背景技術】
【０００２】
従来から、間仕切パネルにおいて、間隔を隔てて立設した支柱の表裏片面又は両面にガラスパネルを装着したものは各種提供されている。一般的なスチール製のパネルは、支柱に開口した係止孔にフックを係止し、該フックにパネルの両側縁に形成した係合孔を落とし込んで保持している。ところが、ガラスパネルは、係合孔位置がスチール製パネルとは異なり、フックの係止箇所の寸法も異なるため、専用の支柱とフックが必要になる。
【０００３】
特許文献１には、外側に開口を有す概略コ型断面の両縦桟及び上下桟を枠組みした枠体の正面外周辺部にガラス溝を形成し、該ガラス溝にガラスを嵌込み、正面にガラス溝の縁のみ露出するとともにガラス面とほぼ同一面としたガラスパネルを、床面側に配置したパネル受けにて支持し、その両側をスタッド（支柱）に止着し、ほぼ全面をガラス面として構成したガラス間仕切構造が記載されている。ここで、前記ガラスパネルを上下複数段に積み重ねる場合には、下段ガラスパネルの上桟に上段ガラスパネルの下桟を噛み合わせて位置ズレ防止を図っている。
【０００４】
この場合、ガラスパネルの枠体はそれ自体大きな強度を有しており、枠体の左右凹溝部に支柱を受け入れて止着し、また上下に複数積み重ねた場合には上桟と下桟が一体となって強度の高い横桟が形成されるのである。しかし、通常の間仕切パネルの構造と異なるので、専用のガラス間仕切構造となり、汎用性に乏しい。つまり、表面側に不透光性の色彩を施したガラスパネルを装着し、裏面側に通常のパネルを装着するといったことは不可能である。
【０００５】
特許文献２には、上下に複数の分割パネルを装着した間仕切パネルが記載されている。具体的には、両側の支柱間に上部横連結杆と下部横連結杆を取付けるともに、中間に複数の中間横連結杆を取付け、各連結杆の上下寸法を一定に設定し、下部横連結杆及び中間横連結杆の表裏両面側の上端に上向きの係止片を設けるとともに、上部横連結杆及び中間連結杆の表裏両面側の下端に下向きの係止爪を設け、パネルの背面側の下縁に沿って下向きの係合溝を設けるとともに、上縁に沿って弾性遊片を設け、パネルの上部の弾性遊片を上方の中間連結杆又は上部横連結杆の下向きの係止爪に係合させるとともに、パネルの下部の係合溝を下側の下部横連結杆又は中間連結杆の上向きの係止片に係合して保持する構造が記載されている。
【０００６】
この場合、両支柱間に中間連結杆を予め正確な位置に取付けておく必要があるため、施工性が悪い。また、パネルは上部の弾性遊片を係止爪に深く係合させた後、パネルを下方へずらして下部の係合溝内に係止片に受け入れる作業となり、横幅寸法が大きなパネルを装着するのは多大な労力を要し、また固定されていないので支持強度が不足し、重いガラスパネルにそのまま適用できる構造ではない。
【先行技術文献】
【特許文献】
【０００７】
【特許文献１】実用新案登録第２５７７２３８号公報
【特許文献２】特開２００９−２８７１７３号公報
【発明の概要】
【発明が解決しようとする課題】
【０００８】
そこで、本発明が前述の状況に鑑み、解決しようとするところは、所定間隔で立設した隣接する両支柱の表裏一側面側にわたって、複数の重いガラスパネルを上下に積層して簡単且つ確実に支持して間仕切パネルを構築することが可能であるガラスパネルの取付装置を提供する点にある。
【課題を解決するための手段】
【０００９】
本発明は、前述の課題解決のために、所定間隔で立設した隣接する両支柱の表裏一側面側にわたって、複数のガラスパネルを上下に積層して装着してなる間仕切パネルにおけるガラスパネルの取付装置であって、四角形のガラス板の周囲を枠体で取り囲んでガラスパネルとし、前記枠体の下枠の背面側には第１係止部を設け、前記枠体の上枠の背面側には前記両支柱の間若しくは隣接する両支柱の中間位置に中間支柱を設ける場合には前記支柱と中間支柱の間に介装する横桟を予め取付けておき、前記横桟の両端には前記支柱又は中間支柱の側面に連結する取付板を有するとともに、前記横桟の前部に第２係止部を設け、隣接する両支柱に取付けた下段側のガラスパネルを支持する前記横桟の第２係止部に上段側のガラスパネルの第１係止部を係止するとともに、該ガラスパネルの上部に取付けた横桟の両端の取付板を前記支柱又は中間支柱の側面にネジ止めすることを特徴とするガラスパネルの取付装置を構成した（請求項１）。
【００１０】
ここで、前記横桟の両端に、水平な連結板と垂直な前記取付板とからなる正面視Ｌ字形の連結金具の連結板を連結して、該横桟の両端に立ち上がった取付板を有し、該取付板に形成した縦長孔を通して前記支柱又は中間支柱の側面にネジを螺合してなることが好ましい（請求項２）。
【００１１】
また、前記枠体の下枠の背面側には前記第１係止部として下向き開放した係止溝を有し、前記横桟の前部に前記第２係止部として前記係止溝を受け入れる上向き係止片を有し、下段側のガラスパネルを支持する前記横桟の係止片に上段側のガラスパネルの前記係止溝を落とし込み係合してなることがより好ましい（請求項３）。
【００１２】
そして、前記枠体の上枠の背面の上下中間部には後方へ張り出した取付台を形成するとともに、該上枠の背面上縁には下向きの係止突条を形成し、前記横桟の下面から前記取付台に接合する支持片を下向きに形成するとともに、該横桟の前面に前記係止突条を受け入れる条溝を形成してなり、前記上枠の係止突条を前記横桟の条溝に係合するとともに、前記横桟の支持片を前記上枠の取付台の背面にネジ止めしてなることも好ましい（請求項４）。
【発明の効果】
【００１３】
以上にしてなる請求項１に係る発明のガラスパネルの取付装置は、予め四角形のガラス板の周囲を枠体で取り囲んでガラスパネルとしているので、重くて危険なガラス板の取扱いが簡単になり、ガラス専門職人でなくても取扱いができ、そして前記枠体の下枠の背面側には第１係止部を設け、前記枠体の上枠の背面側には前記両支柱の間若しくは隣接する両支柱の中間位置に中間支柱を設ける場合には前記支柱と中間支柱の間に介装する横桟を予め取付けておき、前記横桟の両端には前記支柱又は中間支柱の側面に連結する取付板を有するとともに、前記横桟の前部に第２係止部を設けているので、隣接する両支柱に取付けた下段側のガラスパネルを支持する前記横桟の第２係止部に上段側のガラスパネルの第１係止部を係止するとともに、該ガラスパネルの上部に取付けた横桟の両端の取付板を前記支柱又は中間支柱の側面にネジ止めするだけで、所定間隔で立設した隣接する両支柱の表裏一側面側にわたって、複数のガラスパネルを上下に積層して装着することができ、その作業が容易であるとともに、隣接する支柱の間若しくは隣接する両支柱の中間位置に中間支柱を設ける場合には前記支柱と中間支柱の間に横桟をネジ止め連結し、しかもガラスパネル毎に横桟が存在するので強度が非常に高くなる。
【００１４】
請求項２によれば、前記横桟の両端に、水平な連結板と垂直な前記取付板とからなる正面視Ｌ字形の連結金具の連結板を連結して、該横桟の両端に立ち上がった取付板を有し、該取付板に形成した縦長孔を通して前記支柱又は中間支柱の側面にネジを螺合してなるので、横桟は所定長さに切断してその端部に連結金具を連結するだけの簡単な構成であり、しかも長さは自由に設定でき、また取付板を前記支柱又は中間支柱の側面に縦長孔を通してネジを螺合して連結することで、支柱又は中間支柱に簡単且つ強固に連結することがでるばかりでなく、取付高さ位置の調整も容易である。
【００１５】
請求項３によれば、前記枠体の下枠の背面側には前記第１係止部として下向き開放した係止溝を有し、前記横桟の前部に前記第２係止部として前記係止溝を受け入れる上向き係止片を有し、下段側のガラスパネルを支持する前記横桟の係止片に上段側のガラスパネルの前記係止溝を落とし込み係合してなるので、ガラスパネルの下枠に設けた下向き開放した係止溝を下段側のガラスパネルを支持する横桟に設けた上向き係止片に落とし込み係合するだけで仮支持することができ、その後の横桟の支柱間又は支柱と中間支柱間への連結作業が容易になり、またガラスパネルの取付状態では該ガラスパネルの下部をガタツキなく支持することができる。
【００１６】
請求項４によれば、前記枠体の上枠の背面の上下中間部には後方へ張り出した取付台を形成するとともに、該上枠の背面上縁には下向きの係止突条を形成し、前記横桟の下面から前記取付台に接合する支持片を下向きに形成するとともに、該横桟の前面に前記係止突条を受け入れる条溝を形成してなり、前記上枠の係止突条を前記横桟の条溝に係合するとともに、前記横桟の支持片を前記上枠の取付台の背面にネジ止めしてなるので、ガラスパネルの枠体を形成する上枠に横桟を、必要最小限の簡単なネジ止め作業により確実且つ強固に取付けることができる。
【図面の簡単な説明】
【００１７】
【図１】本実施形態に係る間仕切パネルの正面図である。
【図２】同じく間仕切パネルの背面図である。
【図３】地レールと天レール間に立設した支柱の正面図である。
【図４】本実施形態に係る間仕切パネルの縦断平面図である。
【図５】同じく間仕切パネルの縦断側面図である。
【図６】ガラスパネルと支柱及び中間支柱との関係を示す分解斜視図である。
【図７】ガラスパネルの支柱への取付途中の状態を示す分解縦断面図である。
【図８】ガラスパネルの枠体に横桟を連結する構造を示す分解斜視図である。
【図９】下段側のガラスパネルを支持する横桟に上段側のガラスパネルの枠体下部を係止する構造を示す分解斜視図である。
【図１０】ガラスパネルの枠体の上部に連結した横桟を中間支柱に取付ける構造を示す分解斜視図である。
【図１１】ガラスパネルの枠体の上部に連結した横桟を支柱の開口部側に取付ける構造を示す分解斜視図である。
【発明を実施するための形態】
【００１８】
次に、添付図面に示した実施形態に基づき、本発明を更に詳細に説明する。図１及び図２は本発明を適用した間仕切パネルを示し、図３〜図５は間仕切パネルの構造を示し、図６〜図１１は本発明の詳細を示し、図中符号１は地レール、２は天レール、３は支柱、４は中間支柱、５はガラスパネル、６はパネル板をそれぞれ示している。
【００１９】
本実施形態の間仕切パネルは、図１〜図５に示すように、床面に固定した地レール１と天井に固定した天レール２との間に所定間隔毎に支柱３，…を立設するとともに、支柱３，３間に適宜中間支柱４を立設し、隣接する両支柱３，３の表裏一側面にガラスパネル５を装着するとともに、他側面に通常のパネル板６を装着した構造となっている。前記ガラスパネル５は隣接する支柱３，３間に取付ける横幅を有し、前記パネル板６は支柱３と中間支柱４間に取付ける横幅を有している。しかし、本発明では、所定間隔で立設した隣接する両支柱３，３の表裏一側面側にわたって、複数のガラスパネル５，…を上下に積層して装着することが重要であり、反対側のパネル板６の有無は重要ではない。
【００２０】
本発明におけるガラスパネル５は、四角形のガラス板７の周囲を枠体８で取り囲んだ構造であり、ガラス板７の背面には白色系の塗料を塗布して不透光性としたものである。つまり、前記ガラスパネル５は、表面はガラス光沢を備えつつ背面の塗布膜の色彩を備えた不透光性のパネルであるので、該ガラスパネル５の背後にある構造は見えないようになっている。尚、ガラス板７を不透光性にするには、前述の塗料を塗布する以外にもガラス板７の背面に蒸着膜を形成する方法、着色フィルムを貼着する方法等がある。
【００２１】
間仕切パネルの基本構造は、従来のものと同じであるので、図３〜図５に基づいて簡単に説明する。先ず、前記地レール１は、上方へ開放した断面略コ字形部材であり、下端部にアジャスター９を装着した前記支柱３を内挿する。前記天レール２は、下方へ開放した断面略コ字形部材であり、前記支柱３の上端部に装着した天固定金具１０とともに内挿して立起状態に保持する。そして、前記アジャスター９の両側面に突設した突片１１に下方へ開放した断面略コ字形の連結部材１２の端部を支持して連結するとともに、該連結部材１２を前記地レール１に外挿する。前記連結部材１２を支柱３，３間に渡設することにより、隣接する支柱３，３の間隔は正確に規定される。前記中間支柱４は、前記支柱３，３間に適宜な手段で立設されており、前記パネル板６を取付けるための構造は、前記支柱３と同様に備わっている。
【００２２】
前記ガラスパネル５は、図６に示すように、ガラス板７の周囲をアルミ押出し型材を四角形に連結して構成した枠体８によって保持されている。従って、ガラス板７の端部がカットされたままでも枠体８で保護されているので、ガラスの専門職人でなくても取り扱うことができるようになっている。本実施形態では、複数のガラスパネル５，…を上下に積層して支柱３，３の表裏一側面に取付けるが、最上段のガラスパネル５Ａを除き、他のガラスパネル５，…の構造は同じになっている。前記枠体８は、第１型材Ｋ１と第２型材Ｋ２の二種類の型材を用いて構成している。前記ガラスパネル５の枠体８は、両側枠１３，１３と下枠１４に第１型材Ｋ１を使用し、上枠１５には第２型材Ｋ２を使用している。最上段の前記ガラスパネル５Ａの枠体８は、両側枠１３，１３、下枠１４及び上枠１５の全てに第１型材Ｋ１を使用している。
【００２３】
本発明に係るガラスパネル５は、前記枠体８の上枠１５の背面側に前記両支柱３，３の間若しくは隣接する両支柱３，３の中間位置に中間支柱４を設ける場合には前記支柱３と中間支柱４の間に介装する横桟１６を予め取付けておくことが特徴である。
【００２４】
具体的には、前記枠体８を構成する第１型材Ｋ１は、図７及び図９に示すように、前記ガラス板７の背面に接合する基板１７の一端部に前記ガラス板７の端部を覆い且つ表面の縁部を覆う断面略Ｌ字形の保持部１８を形成するとともに、前記基板１７の他端部に背面側へ向けて突出した断面略Ｌ字形の補強部１９を形成し、更に前記基板１７の背面の中間部に沿って前記保持部１８の側へ屈曲した断面略Ｌ字形の屈曲片２０を突設し、また前記保持部１８の端面から背面側へ延びた鍔部２１を形成している。前記屈曲片２０と基板１７の間の空間は係止溝２２（第１係止部）となる。
【００２５】
また、前記枠体８を構成する第２型材Ｋ２は、図７及び図８に示すように、前記ガラス板７の背面に接合する基板２３の上端部に前記ガラス板７の端部を覆い且つ表面の縁部を覆う断面略Ｌ字形の保持部２４を形成するとともに、該基板２３の背面の中央部から下端にかけて中空状の取付台２５を形成するとともに、該上枠１５の背面上縁には下向きの係止突条２６を形成し、更に該係止突条２６から上方へ目地板２７を延設している。前記目地板２７は、上下のガラスパネル５，５の間に位置し、横目地の底部を構成する。
【００２６】
そして、前記ガラスパネル５の枠体８を構成するには、第１型材Ｋ１を用いて両側枠１３，１３と下枠１４を形成し、第２型材Ｋ２を用いて上枠１５を形成し、各型材の端部は４５度にカットし、前記側枠１３と下枠１４の連結にはＬ金具２８を用い、該Ｌ金具２８の垂直部分と水平部分をそれぞれ前記側枠１３と下枠１４の補強部１９の内側に挿入して該補強部１９にネジ止めする。そして、前記側枠１３と上枠１５の連結にも前記Ｌ金具２８を用い、該Ｌ金具２８の垂直部分を前記側枠１３の補強部１９の内側に挿入するとともに、水平部分を前記上枠１５の取付台２５の下端部に挿入し、それぞれ補強部１９と取付台２５にネジ止めする。
【００２７】
前記横桟１６は、本実施形態ではアルミ押出し型材で作製し、図７〜図１１に示すように、断面四角形の中空状の杆体２９であり、該杆体２９の下面から前記上枠１５の取付台２５に接合する支持片３０を下向きに形成するとともに、該杆体２９の前面下部に前記上枠１５の係止突条２６を受け入れる条溝３１を形成し、更に前記杆体２９の前面上縁部に前記下枠１４の係止溝２２（第１係止部）を受け入れる上向き係止片３２（第２係止部）を形成している。
【００２８】
前記横桟１６の両端に、水平な連結板３４と垂直な前記取付板３５とからなる正面視Ｌ字形の連結金具３３の連結板３４を前記杆体２９の内部に挿入し、該杆体２９の上板の下面に接合した状態でネジ３６を螺合して連結して、該横桟１６の両端に立ち上がった取付板３５を設けている。また、前記取付板３５には、縦長孔３７，３７を形成し、該取付板３５を前記支柱３又は中間支柱４の側面に接合した状態で、前記縦長孔３７，３７を通して前記支柱３又は中間支柱４の側面に形成した下穴３８，３８にネジ３９，３９を螺合する。ここで、前記ネジ３９はタッピンネジを使用する。
【００２９】
前記支柱３は、図４に示すように、断面略Ｃ字形で側面板４０と前面板４１及び後面板４２を有するとともに、前面板４１と後面板４２の端部を互いに接近する方向に折曲した折曲板４３，４３を有し、両折曲片４３，４３の間は開口部となっている。一方、前記中間支柱４は、断面略コ字形で後面板４４と両側面板４５，４５を有している。そして、前記支柱３の側面板４０と前記中間支柱４の両側面板４５，４５には、所定高さ毎に前記下穴３８，３８を形成している。
【００３０】
そして、前記ガラスパネル５は、前記支柱３，３に取付ける前に、図７に示すように、前記枠体８の上部に前記横桟１６を連結して一体化する。本実施形態では、隣接する両支柱３，３間に中間支柱４を有するので、該中間支柱４の位置に対応する両側に二つの横桟１６，１６を取付ける。それには、図６〜図８に示すように、前記上枠１５の係止突条２６を前記横桟１６の条溝３１に係合するとともに、前記横桟１６の支持片３０を前記上枠１５の取付台２５の背面に接合し、ネジ４６で締結する。前記ネジ４６は、前記支持片３０に形成した通孔４７を通して前記取付台２５に開けた下穴４８に螺合する。ここで、前記上枠１５の目地板２７は、前記横桟１６の前面に接合する。それぞれの横桟１６の両端には、前述のように連結金具３３が取付けられており、該横桟１６の両端から前記取付板３５が上方へ向けて突出している。
【００３１】
それから、図４、図１０及び図１１に示すように、前記横桟１６，１６をそれぞれ支柱３と中間支柱４の間に挿入し、前記支柱３の側面板４０と前記中間支柱４の側面板４５に前記取付板３５を接合し、ネジ３９，３９を、縦長孔３７，３７を通して下穴３８，３８に螺合して連結する。また、前記支柱３の開口部側に横桟１６を連結するには、図１１に示すように、前記支柱３の内部に位置し、両折曲片４３，４３に両側部を係止するように締結板４９を配置し、該締結板４９に形成した下穴５０，５０に前記取付板３５の縦長孔３７，３７を通したネジ３９，３９を螺合し、該取付板３５と締結板４９とで前記支柱３の両折曲片４３，４３を挟持して連結するようになっている。ここで、前記締結板４９の上縁には外側に向けて逆Ｕ字状の係止爪５１を形成し、前記支柱３の内部に位置させた際に、該係止爪５１が両折曲片４３，４３の間の開口部から突出し、前記取付板３５の上縁に係止して落下しないようにしている。尚、前記係止爪５１を取付板３５の上縁に係止した状態で、前記下穴５０，５０が縦長孔３７，３７に一致するようになっている。
【００３２】
以上にしてなる本発明のガラスパネルの取付装置は、図４、図５及び図７に示すように、隣接する両支柱３，３に取付けた下段側のガラスパネル５を支持する前記横桟１６の第２係止部（係止片３２）に上段側のガラスパネル５の第１係止部（係止溝２２）を係止するとともに、該ガラスパネル５の上部に取付けた横桟１６の両端の取付板３５，３５を前記支柱３又は中間支柱４の側面にネジ止めして、順次上方へガラスパネル５を取付けるのである。勿論、本実施形態のような中間支柱４が存在しないタイプの間仕切パネルにも適用できる。また、前記上枠１５と横桟１６が最初から一体の部材を用いて前記枠体８を構成することも可能である。
【００３３】
最下段のガラスパネル５は、その下方にガラスパネル５が存在しないので、下部を係止する横桟１６の係止片３２の代わりに、図５に示すように、前記連結部材１２の上面に係止部材５２を取付け、該係止部材５２の断面略Ｌ字形の係止部５３に前記下枠１４の補強部１９を係止する。また、最上段のガラスパネル５Ａは、横桟１６が存在しないので、図５及び図７に示すように、第１型材Ｋ１で作製した上枠１５の補強部１９に、上向きに保持板５４を基板１７と平行に取付け、前記天レール２の垂下板５５を上枠１５の屈曲片２０と該保持板５４で挟みこんで保持する。
【符号の説明】
【００３４】
１  地レール、            ２  天レール、
３  支柱、                ４  中間支柱、
５、５Ａ  ガラスパネル、  ６  パネル板、
７  ガラス板、            ８  枠体、
９  アジャスター、        １０  天固定金具、
１１  突片、              １２  連結部材、
１３  側枠、              １４  下枠、
１５  上枠、              １６  横桟、
１７  基板、              １８  保持部、
１９  補強部、            ２０  屈曲片、
２１  鍔部、              ２２  係止溝（第１係止部）、
２３  基板、              ２４  保持部、
２５  取付台、            ２６  係止突条、
２７  目地板、            ２８  Ｌ金具、
２９  杆体、              ３０  支持片、
３１  条溝、              ３２  係止片（第２係止部）、
３３  連結金具、          ３４  連結板、
３５  取付板、            ３６  ネジ、
３７  縦長孔、            ３８  下穴、
３９  ネジ、              ４０  側面板、
４１  前面板、            ４２  後面板、
４３  折曲板、            ４４  後面板、
４５  側面板、            ４６  ネジ、
４７  通孔、              ４８  下穴、
４９  締結板、            ５０  下穴、
５１  係止爪、            ５２  係止部材、
５３  係止部、            ５４  保持板、
５５  垂下板、
Ｋ１  第１型材、
Ｋ２  第２型材。
【図１】
2014043716.tif 000003
【図２】
2014043716.tif 000004
【図３】
2014043716.tif 000005
【図４】
2014043716.tif 000006
【図５】
2014043716.tif 000007
【図６】
2014043716.tif 000008
【図７】
2014043716.tif 000009
【図８】
2014043716.tif 000010
【図９】
2014043716.tif 000011
【図１０】
2014043716.tif 000012
【図１１】
2014043716.tif 000013